(57)【要約】【課題】取り外しおよび持ち運びが容易、かつ新たに名入れする際にも便利な汎用性の高い銘板を有する最適な自動搬送式納骨堂を提供することにある。【解決手段】堂内に設置され正面に窓部を設けた墓石と、墓碑が刻印された墓碑銘板を取付けた遺骨収納厨子とからなり、遺骨収納厨子は選択によって堂内に自動搬送され、墓石に組み込まれ、刻印された墓碑が窓部に露出する自動搬送式納骨堂において、墓碑銘板を遺骨収納厨子に着脱自在に取付けたことを特徴とする。【選択図】      図３
2014202004.tif 000002
【特許請求の範囲】
【請求項１】
堂内に設置され正面に窓部を設けた墓石と、墓碑が刻印された墓碑銘板を取付けた遺骨収納厨子とからなり、前記遺骨収納厨子は選択によって堂内に自動搬送され、前記墓石に組み込まれ、刻印された前記墓碑が前記窓部に露出する自動搬送式納骨堂において、
前記墓碑銘板を前記遺骨収納厨子に着脱自在に取付けたことを特徴とする自動搬送式納骨堂。
【請求項２】
前記墓碑銘板は、上面壁、下面壁、左右側面壁を備え、所定の厚みを有する石材からなる平板であり、前記左右側面壁には、前記下面壁の端部から前記上面壁の端部に向って延在する溝を設け、
前記遺骨収納厨子には、前記溝に係合する係合手段を設けたことを特徴とする請求項１に記載の自動搬送式納骨堂。
【請求項３】
前記墓碑銘板は、前記遺骨収納厨子から取り外して墓碑の改修、追加を可能としたことを特徴とする請求項１又は２に記載の自動搬送式納骨堂。
【発明の詳細な説明】
【技術分野】
【０００１】
本発明は、自動搬送式納骨堂に関する。
【背景技術】
【０００２】
近年、社会問題とされている少子高齢化の影響から、比較的地価の高い都市部では、室内型の墓の需要が増加している。一つの建物内に複数の墓を安置することが可能であり、かつ複数の墓を効率よく管理しうることから今後も大きな需要が見込まれている。また、室内の利便性を活かし、墓の老朽化、地震等の天災の面において有利と認められている。
【０００３】
室内型の墓である自動搬送式納骨堂の設置数は増加傾向にある。その中で、遺骨を収納する厨子は自動搬送されるしくみであり、厨子以外の墓石部分を共同で使用する形式を採用する業者が多い。その厨子の自動搬送において搬送時間および搬送コストの低減、また共同使用する墓石であっても、利用者にお墓に対する有難みや高級感を感じさせられるよう改良が求められている。
【０００４】
かつては、自動搬送式納骨堂で利用される遺骨収納厨子は、主に墓石に設置されると視認可能となる銘板、および遺骨を入れる厨子が一体型であり、同一の材質で作られるものが通常であった。一体型であり、同一の材質で作られていた理由は、利用者に重厚感や高級感を感じさせられるためであった。しかし、厨子全体が石材であるその重量から、搬送するには重いという問題があった。さらに、厨子全体が石材であるその体積から、自動搬送式納骨堂の中に十分な保管スペースを必要とするという問題があった。
【０００５】
上記の改良として、遺骨収納厨子の銘板以外の部分をアルミ等の軽金属で製造し、金具等で取付け、一体型とする厨子が製造されたが、追加的に銘板に故人の名を刻印する際、銘板が厨子と一体となっていることにより、その追加の刻印に取り扱いが不便である問題があった。さらに、銘板をアルミ等の厨子に組み合わせると、銘板を正面として見た場合に、銘板の縁に厨子のアルミ板がはみ出るような構成としており、分離している印象を与え、一体性を感じられないという問題があった。
【０００６】
図１（ａ）は、従来の厨子および銘板が全て石材で作られる一体となった状態を示す立体構造図である。前述の通り、全て石材の遺骨収納厨子３００であることから重量があり、自動搬送式納骨堂で遺骨収納厨子を自動搬送する際には、その重量の分、搬送にエネルギーを必要とし、コスト面で不利であった。また、厨子全体が石材であることがゆえに、参拝がない際に厨子を保管するには十分なスペースを必要とし、かつその配置換え等も重量があるため不便であった。
【０００７】
図１（ｂ）は、従来の厨子および銘板が一体となった状態を示す立体構造図であるが、銘板部分１００は石材で、それ以外の厨子の部分３１０がアルミ等の軽金属で製造される状態を示している。前述の通り、全てを石材で製造するものに比べると重量は低減されるが、依然として、新たに亡くなった故人の名を銘板に追加する際や銘板の改修を行う際に、遺骨収納厨子ごと刻印作業や改修作業を行わなければならず、不便であった。
【０００８】
そこで、本発明は従来の厨子の重量による搬送コストの増加、持ち運びの不便、十分な保管スペースの必要性、新たな故人の名を追加して刻印する際の不便、といった種々の問題を解決し、最適な自動搬送式納骨堂を提供すべく考え出されたものである。
【０００９】
また、今後の自動搬送式納骨堂の需要を見込み、より汎用性の高い遺骨収納厨子および銘板を製造し、需要者により安価で利便性の高い墓を提供すべく、本願の発明者は研究を重ねた。そして、ついに最適な自動搬送式納骨堂の発明に至った。
【先行技術文献】
【特許文献】
【００１０】
【特許文献１】特開２０１０−１３８５９６号公報
【特許文献２】特許第２５４２４８０号公報
【発明の概要】
【発明が解決しようとする課題】
【００１１】
特許文献１に記載の堂内陵墓は、骨壷をおさめた多数の厨子を建物内に収容し、墓参に際して任意選択された厨子を墓石まで自動的に搬送して墓石に組み込む自動搬送式納骨堂のしくみが開示されている。すなわち、各家庭において墓地および、墓石を購入することが必須ではなくなるため、墓地のコストを低減でき都市部でも手軽な予算で墓を持つことができるしくみが開示されている。
【００１２】
さらに、特許文献１には窓部に嵌めこまれることにより家名、家紋などを表示する銘板部分が窓部に露出する厨子が搬送装置により、保管場所から墓石まで搬送されるしくみが開示されているが、当該厨子をどのように搬送するか、どういった厨子とするか、搬送時間、搬送コストまでは明記されておらず、それらの課題が解決されないままでは、利用者にとって価格面、利便性の面で不利となる問題があった。
【００１３】
特許文献２に記載の納骨堂の扉は、多数の納骨庫を有するロッカー式の納骨堂の扉であり、扉枠体と、この扉枠体に設けられる吉相石材でなる板状の墓碑を、吉相石材でなる墓碑に設けられた家名、家紋等の識別手段を構成することが開示されている。また、納骨庫に設けられた壁体及び扉枠体の墓碑は、納骨庫とは別材料の吉相石材等の石材、その他材料で構成することが開示されている。
【００１４】
しかしながら、特許文献２に記載の納骨の扉は銘板となる扉が石材であることは開示しているが、吉相石材でなる部分以外の納骨庫の部分については材料が詳細に開示されていない。また、ロッカー式の納骨堂であることから、複数の利用者の遺骨収納厨子が並列して設置されている状態といえ、自動搬送式納骨堂において参拝する利用者がまるで自分だけの墓であると思わせる高級感や有難みを備えていないという問題があった。
【００１５】
そこで本発明の目的は、取り外しおよび持ち運びが容易、かつ新たに名入れする際にも便利な汎用性の高い銘板を有する最適な自動搬送式納骨堂を提供することにある。
【００１６】
また、本発明の別の目的は、取り外しが可能であることから、厨子と銘板とをそれぞれ分けて保管することが可能であり、かつ必要な時に容易に厨子と銘板とを組み合わせることができる。つまり、省スペースを可能とする遺骨収納厨子を有する自動搬送式納骨堂を提供することにある。
【００１７】
さらに、本発明の別の目的は、外部から視認し得る銘板を石材で製造することで、高級感、重厚感を感じさせ、外部から視認できない厨子を軽量金属で製造することで、自動搬送の搬送エネルギー節減を可能とすることである。つまり、軽量で安価な、かつ高級感を損なわない厨子および銘板を有する自動搬送式納骨堂を提供することにある。
【課題を解決するための手段】
【００１８】
前述の目的を達成するために本発明は、堂内に設置され正面に窓部を設けた墓石と、墓碑が刻印された墓碑銘板を取付けた遺骨収納厨子とからなり、前記遺骨収納厨子は選択によって堂内に自動搬送され、前記墓石に組み込まれ、刻印された前記墓碑が前記窓部に露出する自動搬送式納骨堂において、前記墓碑銘板を前記遺骨収納厨子に着脱自在に取付けたことを特徴とする。
【００１９】
また本発明は、前記墓碑銘板は、上面壁、下面壁、左右側面壁を備え、所定の厚みを有する石材からなる平板であり、前記左右側面壁には、前記下面壁の端部から前記上面壁の端部に向って延在する溝を設け、前記遺骨収納厨子には、前記溝に係合する係合手段を設けたことを特徴とする。
【００２０】
さらに、前記墓碑銘板は、前記遺骨収納厨子から取り外して墓碑の改修、追加を可能としたことを特徴とする。
【発明の効果】
【００２１】
本発明によれば、銘板が着脱自在であることにより、厨子は繰り返し利用可能となり、かつ親族の遺骨を追加して大きな厨子に収納したい場合にも、当該銘板に組合わせ可能な厨子であれば奥行きを広げることで、容易に厨子の取り換えが可能となる点で有利である。
【００２２】
また、銘板の左右側面壁の下面壁端部から上面壁端部に向かって延在するよう溝が設けられることで、墓石に組み込まれた銘板は外部から軽金属で製造させる厨子を視認不可とし、高級感を維持しうる点で有利である。
【００２３】
さらに、銘板が着脱自在であることにより、容易に墓碑の改修、追加を可能とし、墓碑の追加以外にも写真等を入れるためのプレートを新たに設置することも可能とする汎用性の高さの点で有利である。
【図面の簡単な説明】
【００２４】
【図１】従来の一体型であり同一材料で製造された銘板および遺骨収納厨子を示す立体構造図。
【図２】本発明の自動搬送式納骨堂の墓石に銘板および遺骨収納厨子が組込まれる前後を示す立体構造図。
【図３】本発明の銘板が遺骨収納厨子に取り付けられる前の状態を示す立体構造図。
【図４】本発明の銘板と遺骨収納厨子とが取付けられた状態を示す立体構造図。
【図５】本発明の墓碑の追加を可能とすることを示す銘板の正面図。
【発明を実施するための形態】
【００２５】
以下、本発明の自動搬送式納骨堂の実施例について、図面を参照して説明する。
図２（ａ）は、本発明の自動搬送式納骨堂の墓石４０に銘板および遺骨収納厨子が組込まれる前を示す立体構造図である。斜線で示された部分２０が、銘板が墓石に組み込まれる部分である。利用者のカードによって遺骨収納厨子の識別がなされ、該当する厨子および銘板が当該斜線部分の空間に設置されるというしくみである。なお、銘板が組み込まれる工程を示すため、銘板が取り付けられる斜線部分の空間が外部から視認できるように示されているが、実際には曇りガラス等で銘板の着脱作業は不可視として利用されている。
【００２６】
図２（ｂ）は、本発明の室内設置墓の墓石４０に銘板１０および遺骨収納厨子が組み込まれた後を示す立体構造図である。図２（ａ）における斜線部分２０に取り付けられた銘板１０のみが外部から視認可能であり、遺骨収納厨子の部分は視認できないしくみとなっている。また、前述の通り、実際には銘板の着脱作業は不可視であるため、銘板が墓石４０に組み込まれて初めて、参拝可能となる。
【００２７】
図３は、本発明の銘板１０が遺骨収納厨子３０に取り付けられる前を示す立体構造図である。図３に示される通り、遺骨収納厨子３０において銘板が取り付けられる部分には遺骨収納厨子３０と同素材の軽金属で作られる、銘板取付部分３２が設置されている。また、銘板１０の左右側面壁には銘板取付部分３２と嵌合される溝１２が設置されていることを示す。当該溝１２および銘板取付部分３２が着脱自在であることにより、取り外しを容易としている。
【００２８】
図４は、本発明の銘板１０と遺骨収納厨子３０とが取付けられた状態を示す立体構造図である。図３で銘板１０の溝１２と、遺骨収納厨子３０の銘板取付部分３２とが取付けられる後の状態を示し、銘板の溝１２の構造上、墓石に設置された後に外部から視認できる部分が銘板のみとなるよう、遺骨収納厨子３０の銘板取付部分３２および遺骨収納厨子３０は視認できないように銘板と嵌合される。
【００２９】
図５は、本発明の墓碑の追加を可能とすることを示す銘板１０の正面図である。本発明の着脱自在である特徴を活かし、墓碑を新たに追加して刻印することが容易であり、写真等のプレート１４を新たに追加することも可能とすることを示している。なお、銘板に追加されるものは墓碑や写真等のプレートに限られず、利用者の要望に応じて設置可能である。
【符号の説明】
【００３０】
１０・・・銘板
１２・・・銘板の左右側面壁に設置された溝
１４・・・銘板に追加して設置されるもの
２０・・・銘板が設置される前の墓石の空間部分
３０・・・遺骨収納厨子
３２・・・遺骨収納厨子の銘板取付部分
４０・・・墓石
１００・・・従来の銘板
３００・・・従来の石材で作られた遺骨収納厨子
３１０・・・従来の軽金属で作られた遺骨収納厨子
【図１】
2014202004.tif 000003
【図２】
2014202004.tif 000004
【図３】
2014202004.tif 000005
【図４】
2014202004.tif 000006
【図５】
2014202004.tif 000007